(57)【要約】      （修正有）【課題】空力制御が困難な高高度飛しょう中の姿勢制御と、終末誘導時の高い旋回力を両立した飛しょう体を提供する。【解決手段】飛しょう体２は、機体側面方向へ噴射するガス量を調整し、機体側面方向の推力を制御するスラスタ１８と、操舵翼を用いて機体に生じる空気力を制御する操舵装置１６と、後方へ推力を発生させるマルチパルスロケットモータ１０と、スラスタ１８に対するガス量の制御指令と、操舵装置１６に対する舵角指令と、マルチパルスロケットモータ１０に対する後段パルス点火指令とを発生させる計算機とを備える。【選択図】図２
2014190583.tif 000002
【特許請求の範囲】
【請求項１】
機体側面方向へ噴射するガス量を調整し、機体側面方向の推力を制御するスラスタと、
操舵翼を用いて機体に生じる空気力を制御する操舵装置と、
後方へ推力を発生させるマルチパルスロケットモータと、
前記スラスタに対するガス量の制御指令と、前記操舵装置に対する舵角指令と、前記マルチパルスロケットモータに対する後段パルス点火指令とを発生させる計算機と、
を備える
飛しょう体。
【請求項２】
請求項１に記載された飛しょう体であって、
前記スラスタは、動作モードとして、姿勢制御モード及び終末誘導モードを有し、
前記姿勢制御モードにおいて、前記スラスタは、長期間にわたり小さな推力を発生させ、
前記終末誘導モードにおいて、前記スラスタは、短期間にわたり大きな推力を発生させることを特徴とする
飛しょう体。
【請求項３】
請求項２に記載された飛しょう体であって、
前記計算機は、
更に、
終末誘導時に、前記スラスタに対する終末誘導モードへの切替指令と、前記マルチパルロケットモータに対する後段パルスへの点火指令とをほぼ同時に発生させることを特徴とする
飛しょう体。
【請求項４】
請求項２又は３に記載された飛しょう体であって、
前記計算機は、更に、飛しょう高度に基づいて、前記姿勢制御モードへの切替指令を発生させることを特徴とする
飛しょう体。
【請求項５】
請求項２乃至４のいずれかに記載された飛しょう体であって、
前記計算機は、更に、飛しょう時間に基づいて、前記姿勢制御モードへの切替指令を発生させることを特徴とする
飛しょう体。
【請求項６】
請求項２乃至５のいずれかに記載された飛しょう体であって、
前記スラスタは、更に、
前記姿勢制御モードにおいて燃焼する第１固体推進薬と、
前記終末誘導モードにおいて燃焼する第２固体推進薬とを有する
飛しょう体。
【請求項７】
請求項２乃至５のいずれかに記載された飛しょう体であって、
前記スラスタは、更に、
高圧ガスが充填され、前記姿勢制御モードにおいてガスを供給する容器と、
前記終末誘導モードにおいて燃焼する固体推進薬とを有する
飛しょう体。
【請求項８】
請求項２乃至５のいずれかに記載された飛しょう体であって、
前記スラスタは，更に，前記姿勢制御モードにおいて燃焼する固体推進薬を備え、
前記終末誘導モードにおいて，前記マルチパルスロケットモータの前記後段パルスの燃焼により発生したガスが，前記スラスタ及び前記マルチパルスロケットモータのノズルの双方に供給される
飛しょう体。
【請求項９】
請求項２乃至５のいずれかに記載された飛しょう体であって、
前記スラスタは，更に，高圧ガスが充填され，前記姿勢制御モードにおいてガスを供給する容器を備え、
前記終末誘導モードにおいて，前記マルチパルスロケットモータの前記後段パルスの燃焼により発生したガスが，前記スラスタ及び前記マルチパルスロケットモータのノズルの双方に供給される
飛しょう体。
【請求項１０】
請求項２乃至９のいずれかに記載された飛しょう体であって、
前記スラスタは、更に，
前記姿勢制御モードにおいてガスを噴射する、第１バルブと、
前記終末誘導モードにおいてガスを噴射する、第２バルブとを備える
飛しょう体。
【請求項１１】
請求項２乃至５のいずれかに記載された飛しょう体であって、
前記スラスタは，更に，前記姿勢制御モード及び前記終末誘導モードを通して燃焼する固体推進薬を有し，
前記姿勢制御モードにおける前記スラスタの燃焼圧力は，前記終末誘導モードにおける前記スラスタの燃焼圧力よりも小さいことを特徴とする
飛しょう体。
【請求項１２】
請求項２乃至５のいずれかに記載された飛しょう体であって、
前記姿勢制御モードにおいて，前記マルチパルスロケットモータの第１後段パルスの燃焼により発生したガスと，前記終末誘導モードにおいて，前記マルチパルスロケットモータの第２後段パルスの燃焼により発生したガスとが，前記スラスタ及び前記マルチパルスロケットモータのノズルの双方にガスを供給するように、配置されている
飛しょう体。
【請求項１３】
請求項２乃至１２のいずれかに記載された飛しょう体であって、
前記マルチパルスロケットモータによって発生された推力の向きを変化させる推力偏向装置、
を更に備える
飛しょう体。
【発明の詳細な説明】
【技術分野】
【０００１】
本発明は、飛しょう体に関する。
【背景技術】
【０００２】
飛しょう体には、推力を得るために、ロケットモータが設けられる。ロケットモータは、ガスを生成し、後方に噴射する。これにより、飛しょう体を前進させる推力が得られる。
【０００３】
また、飛しょう体には、進路の調整などを目的として、スラスタが設けられる場合がある。スラスタは、飛しょう体の側方へ向けてガスを噴射させる。
【０００４】
上記に関連して、特許文献１（特開２０１１−２３７０７５号公報）には、飛しょう体が開示されている。この飛しょう体は、中空とされた内部に複数の領域に区分けされた固体推進薬が充填され、固体推進薬を該領域毎に順次点火して燃焼させる本体と、本体の後部に設けられ、固体推進薬の燃焼により発生した燃焼ガスを本体の後方向へ噴射することで、推力を発生させる主推進手段と、本体の側面に設けられ、固体推進薬の燃焼により発生した燃焼ガスを本体の側面方向へ噴射することで、推力を発生させる副推進手段とを備えている。更に、特許文献１には、副推進手段が、本体の前方の領域における固体推進薬の燃焼、すなわち、マルチパルスにおいて任意に時間的に後段としたパルスによる燃焼で発生した燃焼ガスを本体の側面方向へ噴射することで、推力を発生させて進行方向の調整を任意の時間で行なう点が開示されている。
【先行技術文献】
【特許文献】
【０００５】
【特許文献１】特開２０１１−２３７０７５号公報
【発明の概要】
【発明が解決しようとする課題】
【０００６】
飛しょう体には、より高い高度で目標と会合することが求められてきている。図１は、飛しょう体の動作を示す概略図である。図１（ａ）には、比較的低い高度で目標と会合するような従来の飛しょう体における動作が示されており、図１（ｂ）には、従来の飛しょう体では対処できないような比較的高い高度で目標と会合する場合の動作が示されている。
【０００７】
図１（ａ）に示されるように、発射装置１によって発射された飛しょう体２は、まず加速し（ブースト）、その後、操舵翼を用いて機体に生じる空気力を制御しながら飛しょうする（コースト）。そして，目標１７と会合する終末誘導時には，スラスタ及びマルチパルス化されたロケットモータを用いて高い旋回力を得ることで，目標１７と会合するよう飛しょう体２の進路が調整される。
【０００８】
一方、図１（ｂ）に示されるように、高高度で目標１７と会合する場合には、発射装置１によって発射された飛しょう体２は，まず加速し，その後，操舵翼を用いて機体に生じる空気力を制御しながら飛しょうする。その後，長時間にわたり，空力制御可能範囲（操舵翼を用いて機体に生じる空気力を制御可能な範囲）外を姿勢制御しながら飛しょうする。そして，目標１７と会合する終末誘導時には、スラスタ及びマルチパルス化されたロケットモータを用いて高い旋回力を得ることで，目標１７と会合するよう飛しょう体２の進路が調整される。
【０００９】
従来の飛しょう体では，図１（ｂ）に示されるような，空力制御可能範囲外を飛しょうする場合，姿勢制御のためにスラスタを使用する必要があるが，姿勢制御のために前記スラスタを使用してしまうと，終末誘導時に必要な高い旋回力を得ることができず，本来果たすべき役割である目標１７との会合が困難となる。
【００１０】
従って、本発明の課題は、空力制御が困難な高高度飛しょう中の姿勢制御と、終末誘導時の高い旋回力を両立した飛しょう体を提供することにある。
【課題を解決するための手段】
【００１１】
本発明に係る飛しょう体は、機体側面方向へ噴射するガス量を調整し、機体側面方向の推力を制御するスラスタと、操舵翼を用いて機体に生じる空気力を制御する操舵装置と、後方へ推力を発生させるマルチパルスロケットモータと、前記スラスタに対するガス量の制御指令と、前記操舵装置に対する舵角指令と、前記マルチパルスロケットモータに対する後段パルス点火指令とを発生させる計算機とを備える一体型の飛しょう体である。
【発明の効果】
【００１２】
本発明によれば、空力制御が困難な高高度飛しょう中の姿勢制御と、終末誘導時の高い旋回力を両立した飛しょう体を実現できる。
【図面の簡単な説明】
【００１３】
【図１】図１は、飛しょう体の動作を示す概略図である。
【図２】図２は、第１の実施形態に係る飛しょう体を示す概略図である。
【図３】図３は、飛しょう体の動作方法を示すフローチャートである。
【図４】図４は、第２の実施形態に係る飛しょう体を示す概略図である。
【図５】図５は、第３の実施形態に係る飛しょう体を示す概略図である。
【図６】図６は、第４の実施形態に係る飛しょう体を示す概略図である。
【発明を実施するための形態】
【００１４】
以下、図面を参照しつつ、実施形態について説明する。
【００１５】
（第１の実施形態）
図２は、本実施形態に係る飛しょう体２を示す概略図である。図２に示されるように、飛しょう体２は、計算機１４、機体１５、スラスタ１８、及びマルチパルスロケットモータ１０を有している。スラスタ１８及びマルチパルスロケットモータ１０は、機体１５に搭載されている。また、機体１５には、ノズル１２、推力偏向装置２０、及び操舵装置１６が設けられている。
【００１６】
マルチパルスロケットモータ１０は、飛しょう体２を前進させるために設けられている。マルチパルスロケットモータ１０は、固体推進薬９及び固体推進薬１１を有している。固体推進薬９は固体推進薬１１よりも前方に配置されている。固体推進薬９及び固体推進薬１１は、いずれも、燃焼時に燃焼ガスを生成するように構成されている。固体推進薬９と固体推進薬１１とは、断熱性を有する仕切り１３によって仕切られており、別々に燃焼することが可能である。
【００１７】
固体推進薬９及び固体推進薬１１は、空間を介してノズル１２に接続されている。固体推進薬９及び固体推進薬１１により生成した燃焼ガスは、ノズル１２に導かれる。ノズル１２は、飛しょう体２の後方を向くように配置されている。ノズル１２に導かれた燃焼ガスは、飛しょう体の後方に噴射される。これにより、飛しょう体２を前進させる推力が得られる。なお、仕切り１３としては、例えば、金属部材を用いることができる。
【００１８】
推力偏向装置２０は、推力偏向（Ｔｈｒｕｓｔ  Ｖｅｃｔｏｒ  Ｃｏｎｔｒｏｌ）を行なう為に設けられており、ノズル１２に取り付けられている。推力偏向装置２０により、ノズル１２において生成された推力の向きを変えることにより、飛しょう体２の推進方向を制御することができる。
【００１９】
操舵装置１６は、操舵翼を有しており、操舵翼を用いて機体１５に生じる空気力を制御する。
【００２０】
続いて、スラスタ１８について詳述する。
【００２１】
スラスタ１８は、ガスを機体側面方向へ噴射させることにより、機体側面方向の推力を得る機能を有している。
【００２２】
ここで、スラスタ１８は、噴射するガス量を調整することができるように、構成されている。また、ガス量が調整可能であることにより、スラスタ１８は、姿勢制御モードと、終末誘導モードとで動作することが可能である。姿勢制御モードは、長秒時にわたり（長期間）、小さい推力を得ることが可能なモードである。一方、終末誘導モードは、短秒時にわたり（短期間）、大きな推力を得ることが可能なモードである。姿勢制御モードにおけるスラスタ１８の単位時間あたりのガス噴射量は、終末誘導モードにおけるそれよりも、小さい。すなわち、姿勢制御モードにおけるガス噴出圧力は、終末誘導モードにおけるそれよりも、小さい。
【００２３】
次いで、スラスタ１８の具体的構成について説明する。
【００２４】
スラスタ１８は、第１固体推進薬６、第２固体推進薬７、及びバルブ３を備えている。
【００２５】
第１固体推進薬６は、姿勢制御モードで用いられ、第２固体推進薬７よりも長時間、ガスを発生させることができる構成を有している。一方、第２固体推進薬７は、終末誘導モードで用いられ、第１固体推進薬６よりも大きな推力を発生させるような構成を有している。第２固体推進薬７は、マルチパルスロケットモータ１０の固体推進薬９の前方に配置されている。第２固体推進薬７と固体推進薬９との間は、断熱性を有する隔壁８により仕切られている。第１固体推進薬６は、第２固体推進薬７の前方に配置されている。第１固体推進薬６と第２固体推進薬７との間には、断熱性の仕切り１９が設けられている。バルブ３は、第１固体推進薬６の前方に配置されている。なお、第１固体推進薬６と第２固体推進薬７とは、同一の点火装置（図示せず）によって点火されてもよく、異なる点火装置（図示せず）によって点火されてもよい。
【００２６】
バルブ３は、第１固体推進薬６及び第２固体推進薬７が発生させたガスを、機体側面方向へガスを噴射するように設けられている。バルブ３からガスが噴射されることにより。機体１５の側方へ向く推力が得られる。
【００２７】
続いて、計算機１４について説明する。計算機１４は、スラスタ１８、操舵装置１６、及びマルチパルスロケットモータ１０の動作を制御する機能を有している。
【００２８】
計算機１４は、スラスタ１８に対するガス量の制御指令を生成することにより、スラスタ１８の動作モードを制御する。例えば、計算機１４は、飛しょう体２の高度を示すデータを取得し、飛しょう高度に基づいて、スラスタ１８の動作モードを姿勢制御モードになるように変更する。また、計算機１４は、飛しょう時間に基づいて、スラスタ１８の動作モードを姿勢制御モードに切り換えてもよい。
【００２９】
また、計算機１４は、舵角指令を生成し、操舵装置１６に送ることにより、操舵装置１６を制御する。
【００３０】
また、計算機１４は、マルチパルスロケットモータ１０に対して後段パルス点火指令を送ることにより、固体推進薬９を点火し、マルチパルスロケットモータ１０の動作を制御する。
【００３１】
続いて、飛しょう体２の動作方法について説明する。図３は、飛しょう体２の動作方法を示すフローチャートである。
【００３２】
ステップＳ１：発射
まず、飛しょう体２が、目標へ向けて発射される。発射時には、固体推進薬１１が点火され、ノズル１２を介して燃焼ガスが噴射させられる。
【００３３】
ステップＳ２〜Ｓ３：ブースト及びコースト
固体推進薬１１の燃焼により、飛しょう体２が加速させられる（ステップＳ２）。固体推進薬１１の燃焼後、飛しょう体２は、慣性により、飛しょうする（ステップＳ３）。飛しょう体２が空力制御範囲（図１参照）を超えるまで、飛しょう体２の姿勢は、操舵装置１６により、制御される。
【００３４】
ステップＳ４：姿勢制御モード
飛しょう体２が空力制御可能範囲を超えると、計算機１４が、姿勢制御モードへの切替指令を生成し、スラスタ１８に送る。既述のように、計算機１４は、たとえば飛しょう高度及び飛しょう時間などに基づいて、空力制御可能範囲を超えたことを検知し、姿勢制御モードへの切替指令を生成する。切替指令を受け、スラスタ１８では、第１固体推進薬６が点火され、ガスの生成が開始される。第１固体推進薬６により生成されたガスは、バルブ３を介して飛しょう体２の側方へ噴射される。これにより、飛しょう体２の姿勢が制御される。
【００３５】
ステップＳ５：終末誘導モード
飛しょう体２が目標１７に近づくと、計算機１４が終末誘導モードへの切替指令を生成し、スラスタ１８に送る。これにより、スラスタ１８の動作が終末誘導モードに切り換えられ、第２固体推進薬７によるガス生成が開始させられる。第２固体推進薬７により生成されたガスは、バルブ３を介して噴射され、高い旋回力が得られる。これにより、飛しょう体２の進路が目標に応じて制御される。
【００３６】
また、本ステップでは、計算機１４が、終末誘導モードへの切替指令と、マルチパルスロケットモータ１０の後段パルス点火指令とを、ほぼ同時に発生させる。これにより、マルチパルスロケットモータ１０において、固体推進薬９が点火され、飛しょう体２が再加速する。但し、後段パルス点火指令の生成タイミング（固体推進薬９が点火されるタイミング）は、固体推進薬１１の燃焼後であればよく、必ずしも終末誘導モードへの切替指令の生成タイミングと同じである必要はない。
【００３７】
続いて、本実施形態の作用効果について説明する。
【００３８】
本実施形態では、スラスタ１８が、第１固体推進薬６及び第２固体推進薬７を有しているため、噴射するガス量が調整可能となっている。そのため、スラスタ１８の動作モードを、姿勢制御モードと終末誘導モードとで切り換えることができる。姿勢制御モードでは、第１固体推進薬６が、長秒時にわたり小さな推力を発生させる。一方、終末誘導時には、第２固体推進薬７により、短秒時にわたり大きな推力が得られる。すなわち、空力制御範囲外で姿勢制御を行なった後であっても、終末誘導時に高い旋回力を得ることが可能である。
【００３９】
また、本実施形態によれば、第１固体推進薬６によって生成されたガスと、第２固体推進薬７によって生成されたガスとが、両方とも、バルブ３を介して噴射される。すなわち、バルブ３は、第１固体推進薬６と第２固体推進薬７とにおいて共通である。バルブ３を複数用意する必要がなく、製造コストを低減でき、構造を単純化させることができる。
【００４０】
尚、本実施形態では、第１固体推進薬６が仕切り１９を介して第２固体推進薬７の前方に配置されている場合について説明した。但し、これらの配置は、ガスがバルブ３に導かれるような配置であればよく、特に限定されない。例えば、第１固体推進薬６及び第２固体推進薬７が、同一の筐体内に配置されており、いわゆるマルチパルスガスジェネレータが構成されていてもよい。一方で、２組の固体推進薬及び点火装置が、別々の筐体に配置されていてもよい。
【００４１】
尚、本実施形態では、姿勢制御用として第１固体推進薬６が用いられ、終末誘導用として第２固体推進薬７が用いられる場合について説明した。但し、第１固体推進薬６及び第２固体推進薬７は、それぞれ、ガスを噴射することができる他の機構に置き換えることも可能である。例えば、各固体推進薬（６、７）に代えて、高圧ガスボンベ（高圧ガスが充填された容器）を用いることも可能である。また、好ましくは、姿勢制御モード用として高圧ガスボンベが用いられ、終末誘導モード用として固体推進薬が用いられる。高圧ガスボンベは、固体推進薬と比較して、大きな推力を得ることが難しい。しかし、高圧ガスボンベは、固体推進薬よりも、長時間ガスを生成することが可能である。従って、高圧ガスボンベは、姿勢制御モードで必要な特性を容易に満たすことができ、空力制御可能範囲外において、より長時間、姿勢維持を行うことが可能となる。
【００４２】
また、本実施形態では、第１固体推進薬６及び第２固体推進薬７を有していることにより、噴射するガス量が調整可能となっている場合について説明した。但し、スラスタ１８は、噴射するガス量を調整することが可能であれば、他の構造を採用することも可能である。例えば、バルブ３として、燃焼圧力を調整可能な装置を用いることにより、噴射するガス量が調整されてもよい。この場合、スラスタ１８には、ガスを生成する単一の機構（固体推進薬）が設けられていればよい。このような構成を採用しても、燃焼圧力を調整することができるため、姿勢制御モード（燃焼圧力を小さく調整）と終末誘導モード（燃焼圧力を大きく調整）とを切り換えることができる。終末誘導モードにおいて、スラスタ１８が噴射することができるガス量を温存することができ、終末誘導モードにおいて高い旋回力を得ることが可能となる。
【００４３】
（第２の実施形態）
続いて、第２の実施形態について説明する。図４は、本実施形態に係る飛しょう体２を示す概略図である。本実施形態では、第１の実施形態に対して、スラスタ１８の構成が変更されている。その他の点については、第１の実施形態と同様の構成を採用することができるので、詳細な説明については、省略する。
【００４４】
図４に示されるように、本実施形態では、スラスタ１８が、第１バルブ３−１及び第２バルブ３−２を備えている。第２バルブ３−２は、第２固体推進薬７の前方に配置されている。第１固体推進薬６は、第２バルブ３−２の前方に配置されている。第１バルブ３−１は、第１固体推進薬６の前方に配置されている。第１固体推進薬６は、生成したガスを第１バルブ３−１に供給するように構成されている。第１固体推進薬６は、第２バルブ３−２には、ガスを供給しない。一方、第２固体推進薬７は、生成したガスを第２バルブ３−２に供給するように構成されている。第２固体推進薬７は、第１バルブ３−１にはガスを供給しない。すなわち、第１バルブ３−１は、姿勢制御モードにおいて用いられる。一方、第２バルブ３−２は、終末制御モードにおいて用いられる。
【００４５】
本実施形態では、第１バルブ３−１及び第２バルブ３−２が設けられているため、第１の実施形態と比較すると、飛しょう体２の構成が複雑になる。しかしながら、姿勢制御のために適した位置に第１バルブ３−１を配置することができ、高い旋回力を得るために適した位置に第２バルブ３−２を配置することができる。これにより、姿勢制御の精度、及び旋回の精度を、それぞれ高めることができる。
【００４６】
（第３の実施形態）
続いて、第３の実施形態について説明する。図５は、本実施形態に係る飛しょう体２を示す概略図である。本実施形態では、第１の実施形態に対して、第２固体推進薬７の構成が変更されている。その他の点については、第１の実施形態と同様の構成を採用することができるので、詳細な説明は、省略する。
【００４７】
図５に示されるように、本実施形態では、固体推進薬９と第２固体推進薬７とが、共通である。すなわち、第２固体推進薬７は、バルブ３とノズル１２の双方にガスを供給するように、配置されている。また、第１固体推進薬６は、バルブ３の前方に配置されている。すなわち、バルブ３は、第１固体推進薬６と第２固体推進薬７とによって挟まれている。
【００４８】
本実施形態では、飛しょう体２が発射されると（ステップＳ１：図３参照）、固体推進薬１１の燃焼により飛しょう体２が加速される（ステップＳ２）。固体推進薬１１の燃焼後、飛しょう体２は、慣性により飛しょうする（ステップＳ３）。その後、スラスタ１８の動作が姿勢制御モードとなり、第１固体推進薬６がガス生成を開始し、姿勢制御が行なわれる（ステップＳ４）。更に、その後、スラスタ１８の動作が終末誘導モードに切り換えられる（ステップＳ５）。終末誘導時には、第２固体推進薬７（固体推進薬９）によりガスが生成される。生成されたガスの一部は、ノズル１２及びバルブ３の両方に導かれる。これにより、再加速（２パルス目の燃焼）と終末誘導とが、同時に行なわれる。
【００４９】
本実施形態によれば、第２固体推進薬７と固体推進薬９とが共通に用いられるため、飛しょう体２の構成をより小型化することが可能となる。但し、高旋回力の発生と２パルス目の加速とが同時に行なわれることになる。一方、既述の実施形態では、高旋回力の発生と２パルス目の加速とを別々のタイミングで実行することができる。従って、ガス生成のタイミングの自由度の観点からは、既述の実施形態のほうが好ましい。
【００５０】
尚、本実施形態では、バルブ３が、第１固体推進薬６と第２固体推進薬（固体推進薬９）とによって挟まれている場合について説明した。但し、バルブ３は、必ずしも第１固体推進薬６と第２固体推進薬７とによって挟まれている必要はない。例えば、第１固体推進薬６と第２固体推進薬７との両方が、バルブ３の後方に配置されていてもよい。
【００５１】
（第４の実施形態）
続いて、第４の実施形態について説明する。図６は、本実施形態に係る飛しょう体２を示す概略図である。本実施形態では、第３の実施形態に対して、スラスタ１８の構成が工夫されている。その他の点については、第３の実施形態と同様の構成を採用することができるので、詳細な説明は省略する。
【００５２】
図６に示されるように、本実施形態では、スラスタ１８が、第１バルブ３−１及び第２バルブ３−２を備えている。第２バルブ３−２は、第２固体推進薬７（固体推進薬９）の前方に配置されている。第１固体推進薬６は、第２バルブ３−２の前方に配置されている。第１バルブ３−１は、第１固体推進薬６の前方に配置されている。第１固体推進薬６は、生成したガスを第１バルブ３−１に供給するように構成されている。第１固体推進薬６は、第２バルブ３−２には、ガスを供給しない。一方、第２固体推進薬７は、生成したガスを第２バルブ３−２に供給するように構成されている。第２固体推進薬７は、第１バルブ３−１にはガスを供給しない。
【００５３】
本実施形態によれば、第３の実施形態の作用効果に加え、第２の実施形態と同様に、姿勢制御のために適した位置に第１バルブ３−１を配置することができ、高旋回力を得るために適した位置に第２バルブ３−２を配置することができる。これにより、姿勢制御の精度、及び進路調整の精度を、それぞれ高めることができる。
【００５４】
以上説明したように、本発明について、第１乃至第４の実施形態を用いて説明した。尚、これらの実施形態は、矛盾のない範囲内で組み合わせることも可能である。例えば、第２乃至第４の実施形態において、第１固体推進薬６に代えて、高圧ガスボンベが用いられてもよい。
【符号の説明】
【００５５】
１  発射装置
２  飛しょう体
３  バルブ
３−１  第１バルブ
３−２  第２バルブ
６  第１固体推進薬
７  第２固体推進薬
８  隔壁
９  固体推進薬
１０  マルチパルスロケットモータ
１１  固体推進薬
１２  ノズル
１３  仕切り
１４  計算機
１５  機体
１６  操舵装置
１７  目標
１８  スラスタ
１９  仕切り
２０  推力偏向装置
【図１】
2014190583.tif 000003
【図２】
2014190583.tif 000004
【図３】
2014190583.tif 000005
【図４】
2014190583.tif 000006
【図５】
2014190583.tif 000007
【図６】
2014190583.tif 000008